(57)【特許請求の範囲】
【請求項１】
１つのセルを用いて、端末と無線通信するように構成されたホーム基地局と、
前記ホーム基地局がコアネットワークとの間で送受信するデータを中継するように構成されたゲートウェイ装置と、
前記ゲートウェイ装置と接続された無線ネットワーク制御装置と、
前記ホーム基地局と接続された端末に向けた同報配信メッセージを、前記無線ネットワーク制御装置に送信するように構成された同報配信装置と、
を含み、
前記ゲートウェイ装置は、
前記ホーム基地局が形成するセルを少なくとも１以上含むサービスエリアを単位として、前記ホーム基地局の動作状態を管理し、
前記ゲートウェイ装置は、
前記ホーム基地局が形成するセルを少なくとも１以上含むサービスエリアを単位として、前記端末への同報配信を制御し、
前記ゲートウェイ装置は、
新たにホーム基地局が使用可能に遷移した場合には、前記新たなホーム基地局と前記新たなホーム基地局の属するサービスエリアを関連付け、第１の管理テーブルに登録し、
前記ゲートウェイ装置は、
前記新たなホーム基地局から位置情報登録要求メッセージを受信した場合であって、前記位置情報登録要求メッセージを、前記新たなホーム基地局の属するサービスエリアの他のホーム基地局から受信していない場合は、前記新たなホーム基地局が属するサービスエリアが使用可能となった旨を、前記無線ネットワーク制御装置に通知する
同報配信システム。
【請求項２】
前記ゲートウェイ装置は、 
サービスエリアに使用可能な前記ホーム基地局が不存在となった場合に、前記使用可能なホーム基地局が存在しないサービスエリアが使用不可となった旨を、前記無線ネットワーク制御装置に通知する、請求項１の同報配信システム。
【請求項３】
前記ゲートウェイ装置は、 
前記無線ネットワーク制御装置を経由して、前記同報配信装置から前記同報配信メッセージを受信した場合、前記第１の管理テーブルを参照することで、前記同報配信メッセージを配信するサービスエリアと前記同報配信メッセージを配信するサービスエリアに属する前記ホーム基地局を特定する、請求項１または２に記載の同報配信システム。
【請求項４】
前記ゲートウェイ装置は、
各サービスエリアにおける同報配信の状態を、第２の管理テーブルにより管理し、
前記第２の管理テーブルは、サービスエリアごとに同報配信の成功又は失敗を記憶する、請求項３の同報配信システム。
【請求項５】
前記ゲートウェイ装置は、
前記無線ネットワーク制御装置を経由して、前記同報配信装置から前記同報配信メッセージを受信した場合に、タイマを起動し、
前記起動したタイマが満了するまでの期間内に、前記同報配信メッセージを送信したサービスエリアに属する前記ホーム基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する、請求項４の同報配信システム。
【請求項６】
１つのセルを用いて、端末と無線通信するように構成されたホーム基地局と、
前記ホーム基地局がコアネットワークとの間で送受信するデータを中継するように構成されたゲートウェイ装置と、
前記ゲートウェイ装置と接続された無線ネットワーク制御装置と、
前記ホーム基地局と接続された端末に向けた同報配信メッセージを、前記無線ネットワーク制御装置に送信するように構成された同報配信装置と、
を含み、
前記ゲートウェイ装置は、
前記ホーム基地局が形成するセルを少なくとも１以上含むサービスエリアを単位として、前記ホーム基地局の動作状態を管理し、
前記ゲートウェイ装置は、
前記ホーム基地局が形成するセルを少なくとも１以上含むサービスエリアを単位として、前記端末への同報配信を制御し、
前記ゲートウェイ装置は、
新たにホーム基地局が使用可能に遷移した場合には、前記新たなホーム基地局と前記新たなホーム基地局の属するサービスエリアを関連付け、第１の管理テーブルに登録し、
前記ゲートウェイ装置は、
前記無線ネットワーク制御装置を経由して、前記同報配信装置から前記同報配信メッセージを受信した場合、前記第１の管理テーブルを参照することで、前記同報配信メッセージを配信するサービスエリアと前記同報配信メッセージを配信するサービスエリアに属する前記ホーム基地局を特定し、
前記ゲートウェイ装置は、
各サービスエリアにおける同報配信の状態を、第２の管理テーブルにより管理し、
前記第２の管理テーブルは、サービスエリアごとに同報配信の成功又は失敗を記憶し、
前記ゲートウェイ装置は、
前記無線ネットワーク制御装置を経由して、前記同報配信装置から前記同報配信メッセージを受信した場合に、タイマを起動し、
前記起動したタイマが満了するまでの期間内に、前記同報配信メッセージを送信したサービスエリアに属する前記ホーム基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する
同報配信システム。
【請求項７】
前記ゲートウェイ装置は、
サービスエリアに使用可能な前記ホーム基地局が不存在となった場合に、前記使用可能なホーム基地局が存在しないサービスエリアが使用不可となった旨を、前記無線ネットワーク制御装置に通知する、請求項６の同報配信システム。
【請求項８】
端末に無線接続を提供し、１つのセルを形成するホーム基地局がコアネットワークとの間で送受信するデータを中継し、
前記ホーム基地局が形成するセルを少なくとも１以上含むサービスエリアを単位として、前記ホーム基地局の動作状態を管理し、
前記ホーム基地局が形成するセルを少なくとも１以上含むサービスエリアを単位として、前記端末への同報配信を制御し、
新たにホーム基地局が使用可能に遷移した場合には、前記新たなホーム基地局と前記新たなホーム基地局の属するサービスエリアを関連付け、第１の管理テーブルに登録し、
前記新たなホーム基地局から位置情報登録要求メッセージを受信した場合であって、前記位置情報登録要求メッセージを、前記新たなホーム基地局の属するサービスエリアの他のホーム基地局から受信していない場合は、前記新たなホーム基地局が属するサービスエリアが使用可能となった旨を、無線ネットワーク制御装置に通知する
ゲートウェイ装置。
【請求項９】
端末に無線接続を提供し、１つのセルを形成するホーム基地局がコアネットワークとの間で送受信するデータを中継し、
前記ホーム基地局が形成するセルを少なくとも１以上含むサービスエリアを単位として、前記ホーム基地局の動作状態を管理し、
前記ホーム基地局が形成するセルを少なくとも１以上含むサービスエリアを単位として、前記端末への同報配信を制御し、
新たにホーム基地局が使用可能に遷移した場合には、前記新たなホーム基地局と前記新たなホーム基地局の属するサービスエリアを関連付け、第１の管理テーブルに登録し、
無線ネットワーク制御装置を経由して、前記ホーム基地局と接続された端末に向けた同報配信メッセージを前記無線ネットワーク制御装置に送信するように構成された同報配信装置から、前記同報配信メッセージを受信した場合、前記第１の管理テーブルを参照することで、前記同報配信メッセージを配信するサービスエリアと前記同報配信メッセージを配信するサービスエリアに属する前記ホーム基地局を特定し、
各サービスエリアにおける同報配信の状態を、第２の管理テーブルにより管理し、
前記第２の管理テーブルは、サービスエリアごとに同報配信の成功又は失敗を記憶し、
前記無線ネットワーク制御装置を経由して、前記同報配信装置から前記同報配信メッセージを受信した場合に、タイマを起動し、
前記起動したタイマが満了するまでの期間内に、前記同報配信メッセージを送信したサービスエリアに属する前記ホーム基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する
ゲートウェイ装置。
【請求項１０】
端末に無線接続を提供し、１つのセルを形成するホーム基地局と、
前記ホーム基地局がコアネットワークとの間で送受信するデータを中継するゲートウェイ装置と、
前記ゲートウェイ装置と接続された無線ネットワーク制御装置と、
前記ホーム基地局と接続された端末に向けた同報配信メッセージを、前記無線ネットワーク制御装置に送信する同報配信装置と、
を含む同報配信システムにて、
前記ホーム基地局が形成するセルを少なくとも１以上含むサービスエリアを単位として、前記ホーム基地局の動作状態を管理し、
前記ホーム基地局が形成するセルを少なくとも１以上含むサービスエリアを単位として、前記端末への同報配信を制御し、
新たにホーム基地局が使用可能に遷移した場合には、前記新たなホーム基地局と前記新たなホーム基地局の属するサービスエリアを関連付け、第１の管理テーブルに登録し、
前記新たなホーム基地局から位置情報登録要求メッセージを受信した場合であって、前記位置情報登録要求メッセージを、前記新たなホーム基地局の属するサービスエリアの他のホーム基地局から受信していない場合は、前記新たなホーム基地局が属するサービスエリアが使用可能となった旨を、前記無線ネットワーク制御装置に通知する
同報配信方法。
【請求項１１】
端末に無線接続を提供し、１つのセルを形成するホーム基地局と、
前記ホーム基地局がコアネットワークとの間で送受信するデータを中継するゲートウェイ装置と、
前記ゲートウェイ装置と接続された無線ネットワーク制御装置と、
前記ホーム基地局と接続された端末に向けた同報配信メッセージを、前記無線ネットワーク制御装置に送信する同報配信装置と、
を含む同報配信システムにて、
前記ホーム基地局が形成するセルを少なくとも１以上含むサービスエリアを単位として、前記ホーム基地局の動作状態を管理し、
前記ホーム基地局が形成するセルを少なくとも１以上含むサービスエリアを単位として、前記端末への同報配信を制御し、
新たにホーム基地局が使用可能に遷移した場合には、前記新たなホーム基地局と前記新たなホーム基地局の属するサービスエリアを関連付け、第１の管理テーブルに登録し、
前記無線ネットワーク制御装置を経由して、前記同報配信装置から前記同報配信メッセージを受信した場合、前記第１の管理テーブルを参照することで、前記同報配信メッセージを配信するサービスエリアと前記同報配信メッセージを配信するサービスエリアに属する前記ホーム基地局を特定し、
各サービスエリアにおける同報配信の状態を、第２の管理テーブルにより管理し、
前記第２の管理テーブルは、サービスエリアごとに同報配信の成功又は失敗を記憶し、
前記無線ネットワーク制御装置を経由して、前記同報配信装置から前記同報配信メッセージを受信した場合に、タイマを起動し、
前記起動したタイマが満了するまでの期間内に、前記同報配信メッセージを送信したサービスエリアに属する前記ホーム基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する
同報配信方法。
【請求項１２】
端末に無線接続を提供し、１つのセルを形成するホーム基地局がコアネットワークとの間で送受信するデータを中継し、無線ネットワーク制御装置と接続されたゲートウェイ装置に搭載されたコンピュータに実行させるプログラムであって、
前記ホーム基地局が形成するセルを少なくとも１以上含むサービスエリアを単位として、前記ホーム基地局の動作状態を管理する処理と、
前記ホーム基地局が形成するセルを少なくとも１以上含むサービスエリアを単位として、前記端末への同報配信を制御する処理と、
新たにホーム基地局が使用可能に遷移した場合には、前記新たなホーム基地局と前記新たなホーム基地局の属するサービスエリアを関連付け、第１の管理テーブルに登録する処理と、
前記新たなホーム基地局から位置情報登録要求メッセージを受信した場合であって、前記位置情報登録要求メッセージを、前記新たなホーム基地局の属するサービスエリアの他のホーム基地局から受信していない場合は、前記新たなホーム基地局が属するサービスエリアが使用可能となった旨を、前記無線ネットワーク制御装置に通知する処理と
を実行させるプログラム。
【請求項１３】
端末に無線接続を提供し、１つのセルを形成するホーム基地局がコアネットワークとの間で送受信するデータを中継し、無線ネットワーク制御装置と接続されたゲートウェイ装置に搭載されたコンピュータに実行させるプログラムであって、
前記ホーム基地局が形成するセルを少なくとも１以上含むサービスエリアを単位として、前記ホーム基地局の動作状態を管理する処理と、
前記ホーム基地局が形成するセルを少なくとも１以上含むサービスエリアを単位として、前記端末への同報配信を制御する処理と、
新たにホーム基地局が使用可能に遷移した場合には、前記新たなホーム基地局と前記新たなホーム基地局の属するサービスエリアを関連付け、第１の管理テーブルに登録する処理と、
前記無線ネットワーク制御装置を経由して、前記ホーム基地局と接続された端末に向けた同報配信メッセージを前記無線ネットワーク制御装置に送信するように構成された同報配信装置から、前記同報配信メッセージを受信した場合、前記第１の管理テーブルを参照することで、前記同報配信メッセージを配信するサービスエリアと前記同報配信メッセージを配信するサービスエリアに属する前記ホーム基地局を特定する処理と、
各サービスエリアにおける同報配信の状態を、サービスエリアごとに同報配信の成功又は失敗が記憶される第２の管理テーブルにより管理する処理と、
前記無線ネットワーク制御装置を経由して、前記同報配信装置から前記同報配信メッセージを受信した場合に、タイマを起動する処理と、
前記起動したタイマが満了するまでの期間内に、前記同報配信メッセージを送信したサービスエリアに属する前記ホーム基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する処理と
を実行させるプログラム。
【発明の詳細な説明】
【技術分野】
【０００１】
本開示は、同報配信システム、ゲートウェイ装置、同報配信方法及び記憶媒体に関する。特に、フェムトシステムにおける同報配信システム、ゲートウェイ装置、同報配信方法及び記憶媒体に関する。
【背景技術】
【０００２】
特許文献１において、３Ｇ（Third Generation；第三世代移動体通信）網におけるセルブロードキャストサービス（ＣＢＳ；Cell Broadcast Service）が開示されている。ＣＢＳは、例えば、地震が発生した場合に、震度が所定の値以上となることが予想される地域等の特定エリア内に存在する全ての端末（ＵＥ；User Equipment）にメッセージ（ＣＢＳメッセージ）を同報配信するシステムである。【０００３】
特許文献１にて説明されるように、既存の３Ｇ網では、ＣＢＳメッセージの配信を行うＣＢＣ（Cell Broadcast Center）が、各ＲＮＣ（Radio Network Controller）のセルＩＤによりエリア管理を行う。そのため、ＣＢＣが、気象庁等のＣＢＥ（Cell Broadcast Entity）のサーバから、ＣＢＳメッセージの配信指示を取得すると、配信対象エリアに該当するセルＩＤでのＲＮＣにＣＢＳメッセージを配信する。当該メッセージを受信した各ＲＮＣは、ＢＴＳ（Base Transceiver Station）配下にあるＵＥにＣＢＳメッセージを配信し、ＣＢＣに対しては配信成功を返信する。このようして、既存の３Ｇ網では、各ＵＥにＣＢＳメッセージが同報配信される。【０００４】
また、近年では、半径数十メートル程度の極めて狭い範囲をカバーするフェムトセル（Femto Cell）用基地局の設置が進んでいる。フェムトセル用基地局は、主に家庭やオフィス内に設置され、室内の通信エリアをカバーしている。【０００５】
非特許文献１は、ＣＢＳのネットワーク構成及びＣＢＳを構成する各装置の動作等を開示する。非特許文献２は、ＣＢＣとＲＮＣ（ＨＮＢ−ＧＷ；Home Node B−GateWay）間のプロトコル、ＳＡＢＰ（Service Area Broadcast Protocol）を規定している。なお、非特許文献２によれば、ＣＢＣから緊急速報として配信されるＣＢＳメッセージは、サービスエリア（ＳＡ；Service Area）に送信されるが、１つのＳＡは１つのＣｅｌｌとして定義されている。
【先行技術文献】
【特許文献】
【０００６】
【特許文献１】国際公開第２０１１／０８９８１９号
【非特許文献】
【０００７】
【非特許文献１】3GPP TS 23.041 V9.11.0 (2013-01) 3rd Generation Partnership Project; Technical realization of Cell Broadcast Service (CBS) (Release 9)
【非特許文献２】3GPP TS 25.419 V10.2.0 (2012-04) 3rd Generation Partnership Project; UTRAN Iu-BC interface: Service Area Broadcast Protocol (SABP) (Release 10)
【発明の概要】
【発明が解決しようとする課題】
【０００８】
なお、上記先行技術文献の各開示を、本書に引用をもって繰り込むものとする。以下の分析は、本発明者らによってなされたものである。【０００９】
既存の３Ｇシステムに存在するセルの数は、数千程度であると考えられる。対して、フェムトシステムでは、数万から数十万のセルが設置され得る。また、３Ｇ網におけるセルは、ＮｏｄｅＢ単位で構成され、このＮｏｄｅＢを制御する主体は通信事業者（キャリア）である。従って、ＮｏｄｅＢに対する制御、管理（例えば、電源のＯＮ／ＯＦＦ、故障時の対応、上位ノードであるＲＮＣとの接続）は、通信事業者により行われる。【００１０】
一方、フェムトシステムでは、セルは、ＨＮＢ（Home Node B）単位にて構成される。
上述のように、ＨＮＢは、各家庭、オフィス（企業のフロア）、商業施設（例えば、ショッピングモール）に設置されることが多い。そのため、ＨＮＢに対する制御、管理（例えば、電源のＯＮ／ＯＦＦ、通信ケーブルの挿抜等）が、通信事業者だけではなくHＮＢを設置した一般ユーザにより行われる。【００１１】
ここで、フェムトシステムにおけるＣＢＳの実施を考える。この場合、ＣＢＣは、セルにＣＢＳメッセージを配信するために、ＨＮＢの状態とＣＢＳメッセージの配信状況の管理を行う。具体的には、ＣＢＣは、ＨＮＢの状態管理として、使用可能（ＲＥＳＴＡＲＴ）、使用不可（ＦＡＩＬＵＲＥ）、再起動（ＲＥＳＥＴ）を管理する。また、ＣＢＣは、ＨＮＢへのメッセージ配信状況の管理として、配信（ＷＲＩＴＥ−ＲＥＰＬＡＣＥ）、配信停止（ＫＩＬＬ）、配信状況確認（ＭＥＳＳＡＧＥ  ＳＴＡＴＵＳ  ＱＵＥＲＹ）、電波状況確認（ＬＯＡＤ  ＱＵＥＲＹ）を管理する。【００１２】
上述のとおり、フェムトシステムでは、セルの数が圧倒的に多く、且つ、ＨＮＢに対する制御及び管理をユーザが行うことも可能であるので、以下の問題が生じうる。【００１３】
ユーザがＨＮＢの状態を変更するたびにＣＢＣとＨＮＢ間で情報の授受（信号の送受信）が必要となることや、緊急速報メッセージの配信先が増加したことにより、ＣＢＣとＨＮＢの間でやり取りするデータ量が増大する。その結果、ネットワークの輻輳やメッセージの欠落等の問題が発生する可能性がある。特に、非特許文献２によれば、１つのＣｅｌｌは１つのＳＡ（サービスエリア）と規定されているため、フェムトシステムのようにセル数が膨大、且つ、ユーザがＨＮＢの状態が変更可能であるような環境下では、ＣＢＣにてＨＮＢの状態管理を行うのは負荷（特に、シグナリング負荷）が大きい。【００１４】
例示的な実施形態は、無線ネットワーク制御装置（例えば、ＣＢＣ（Cell Broadcast Center））の負荷を低減することに寄与する同報配信システム、ゲートウェイ装置、同報配信方法及び記憶媒体を提供することを目的とする。
【課題を解決するための手段】
【００１５】
例示的な実施形態の同報配信システムは、端末に無線接続を提供し、１つのセルを形成するフェムトセル用基地局と、前記フェムトセル用基地局がコアネットワークとの間で送受信するデータを中継するゲートウェイ装置と、前記ゲートウェイ装置と接続された無線ネットワーク制御装置と、前記フェムトセル用基地局と接続された端末に向けた同報配信メッセージを、前記無線ネットワーク制御装置に送信する同報配信装置と、を含む。前記ゲートウェイ装置は、前記フェムトセル用基地局が形成するセルを少なくとも１以上含むサービスエリアを単位として、前記フェムトセル用基地局の動作状態及び前記端末への同報配信を制御する。【００１６】
例示的な実施形態のゲートウェイ装置は、端末に無線接続を提供し、１つのセルを形成するフェムトセル用基地局がコアネットワークとの間で送受信するデータを中継し、前記フェムトセル用基地局が形成するセルを少なくとも１以上含むサービスエリアを単位として、前記フェムトセル用基地局の動作状態及び前記端末への同報配信を制御する。【００１７】
例示的な実施形態の同報配信方法にかかる同報配信システムは、端末に無線接続を提供し、１つのセルを形成するフェムトセル用基地局と、前記フェムトセル用基地局がコアネットワークとの間で送受信するデータを中継するゲートウェイ装置と、前記ゲートウェイ装置と接続された無線ネットワーク制御装置と、前記フェムトセル用基地局と接続された端末に向けた同報配信メッセージを、前記無線ネットワーク制御装置に送信する同報配信装置と、を含む。同報配信方法は、前記フェムトセル用基地局が形成するセルを少なくとも１以上含むサービスエリアを単位として、前記フェムトセル用基地局の動作状態を管理するステップと、前記フェムトセル用基地局が形成するセルを少なくとも１以上含むサービスエリアを単位として、前記端末への同報配信を制御するステップと、を含む。【００１８】
例示的な実施形態の第４の視点によれば、端末に無線接続を提供し、１つのセルを形成するフェムトセル用基地局がコアネットワークとの間で送受信するデータを中継するゲートウェイ装置に搭載されたコンピュータに実行させるプログラムを記憶する記憶媒体であ。前記フェムトセル用基地局が形成するセルを少なくとも１以上含むサービスエリアを単位として、前記フェムトセル用基地局の動作状態を管理する処理と、前記フェムトセル用基地局が形成するセルを少なくとも１以上含むサービスエリアを単位として、前記端末への同報配信を制御する処理と、を実行させるプログラムを記録する。
なお、このプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。例示的な実施形態は、コンピュータプログラム製品として具現することも可能である。
【発明の効果】
【００１９】
例示的な実施形態によれば、無線ネットワーク制御装置の負荷を低減することに寄与する同報配信システム、ゲートウェイ装置、同報配信方法及び記憶媒体が、提供される。
【図面の簡単な説明】
【００２０】
【図１】一実施形態の概要を説明するための図である。
【図２】第１の実施形態に係る同報配信システムの全体構成の一例を示す図である。
【図３】ＨＮＢ管理フェーズを説明するためのシーケンス図である。
【図４】ＨＮＢ管理テーブルの一例を示す図である。
【図５】ＨＮＢ管理フェーズを説明するためのシーケンス図である。
【図６】ＨＮＢ管理フェーズを説明するためのシーケンス図である。
【図７】情報配信フェーズを説明するためのシーケンス図である。
【図８】同報配信管理テーブルの一例を示す図である。
【図９】第１の実施形態に係るＣＢＣの内部構成の一例を示す図である。
【図１０】第１の実施形態に係るＨＮＢの内部構成の一例を示す図である。
【図１１】第１の実施形態に係るＨＮＢ−ＧＷの内部構成の一例を示す図である。
【図１２】同報配信制御部の動作を説明するためのフローチャートである。
【図１３】同報配信制御部の動作を説明するためのフローチャートである。
【図１４】同報配信制御部の動作を説明するためのフローチャートである。
【図１５】同報配信制御部の動作を説明するためのフローチャートである。
【図１６】同報配信制御部の動作を説明するためのフローチャートである。
【図１７】同報配信制御部の動作を説明するためのシーケンス図である。
【図１８】同報配信制御部の動作を説明するためのシーケンス図である。
【図１９】同報配信制御部の動作を説明するためのシーケンス図である。
【図２０】同報配信制御部の動作を説明するためのシーケンス図である。
【図２１】サービスエリア管理部の動作を説明するためのフローチャートである。
【図２２】サービスエリア管理部の動作を説明するためのフローチャートである。
【図２３】サービスエリア管理部の動作を説明するためのフローチャートである。
【発明を実施するための形態】
【００２１】
初めに、例示的な一実施形態の概要について説明する。なお、この概要に付記した図面参照符号は、理解を助けるための一例として各要素に便宜上付記したものであり、この概要の記載はなんらの限定を意図するものではない。
【００２２】
一実施形態に係る同報配信システムは、端末に無線接続を提供し、１つのセルを形成するフェムトセル用基地局１００と、フェムトセル用基地局１００がコアネットワークとの間で送受信するデータを中継するゲートウェイ装置１０１と、ゲートウェイ装置１０１と接続された無線ネットワーク制御装置１０２と、フェムトセル用基地局１００と接続された端末に向けた同報配信メッセージ（緊急速報メッセージ）を、無線ネットワーク制御装置１０２に送信する同報配信装置１０３と、を含む（図１参照）。ゲートウェイ装置１０１は、フェムトセル用基地局１００が形成するセルを少なくとも１以上含むサービスエリアを単位として、フェムトセル用基地局１００の動作状態及び端末への同報配信を制御する。
【００２３】
図１に示す同報配信システムは、フェムトセルシステムを構成した際、サービスエリアに設置された複数の基地局（フェムトセル用基地局）配下の端末に対し、緊急速報メッセージを配信可能とする。上記同報配信システムでは、無線ネットワーク制御装置（例えば、ＣＢＣ）１０２に変わって、ゲートウェイ装置（例えば、ＨＮＢ−ＧＷ）１０１が、フェムトセル用基地局１００の状態管理及び同報配信の制御を行う。換言するならば、無線ネットワーク制御装置１０２は、全てのフェムトセル用基地局の状態管理から解放され、サービスエリア単位で状態を管理すれば足り、サービスエリアに含まれる端末に緊急速報メッセージを配信可能となる。その結果、無線ネットワーク制御装置１０２とゲートウェイ装置１０１間の信号数が減少し、無線ネットワーク制御装置１０２の負荷を低減できる。即ち、セルブロードキャストサービス（ＣＢＳ）をフェムトセルシステムに導入する際、既に設置されているＣＢＣに過大な負荷をかけることなく、３Ｇ網にて実現されているような同報配信サービスが提供可能となる。
【００２４】
以下に具体的な実施の形態について、図面を参照してさらに詳しく説明する。なお、各実施形態において同一構成要素には同一の符号を付し、その説明を省略する。
【００２５】
［第１の実施形態］
第１の実施形態について、図面を用いてより詳細に説明する。
【００２６】
図２は、第１の実施形態に係る同報配信システムの全体構成の一例を示す図である。図２に示す同報配信システムは、フェムトセル・ネットワークにて運用される。同報配信システムは、ＣＢＥ１０と、ＣＢＣ１１と、ＨＮＢ−ＧＷ１２と、ＨＮＢ１３−１〜１３−３と、複数のＵＥ１４と、を含む。なお、ＣＢＥ１０が上述の同報配信装置１０３に、ＣＢＣ１１が上述の無線ネットワーク制御装置１０２に、ＨＮＢ−ＧＷ１２が上述のゲートウェイ装置１０１に、ＨＮＢ１３が上述のフェムトセル用基地局１００に、それぞれ相当する。
【００２７】
同報配信システムでは、緊急速報メッセージ（ＣＢＳメッセージ）が、ＣＢＥ１０からＵＥ１４まで配信される。
【００２８】
ＣＢＥ１０は、気象庁や自治体に設置された情報処理装置（サーバ）であって、緊急速報の配信装置である。
【００２９】
ＣＢＣ１１は、ＣＢＥ１０と接続され、通信事業者ごとに設置される無線ネットワーク制御装置である。
【００３０】
ＨＮＢ−ＧＷ１２は、ＨＮＢ１３がコアネットワークとの間で送受信するデータを中継するゲートウェイ装置である。つまり、ＨＮＢ−ＧＷ（Home Node B−Gateway）１２は、フェムトシステムにおける中継装置であって、複数のフェムト基地局（ＨＮＢ；Home Node B）と直接接続されるゲートウェイとして機能する。
【００３１】
ＨＮＢ１３−１〜１３−３のそれぞれは、ＵＥ（端末）１４に無線接続を提供し、１つのセルを形成する。ＨＮＢ１３−１〜１３−３は、それぞれが非常に狭い範囲をカバーするフェムトセル用基地局（小型無線基地局）である。ＨＮＢ１３−１〜１３−３のそれぞれが発する電波が届く距離が、セルとなる。例えば、ＨＮＢ１３−１はセル２０１、ＨＮＢ１３−２はセル２０２、ＨＮＢ１３−３はセル２０３をそれぞれ有する。なお、以降の説明において、ＨＮＢ１３−１〜１３−３を区別する特段の理由がない場合には、単に「ＨＮＢ１３」と表記する。
【００３２】
ＵＥ１４は無線端末であり、ＨＮＢ１３の各セルの中に在圏するＵＥが、ＨＮＢ１３と接続できる。各セルに複数のＵＥ１４が存在すれば、各ＵＥ１４はＨＮＢ１３と接続できる。
【００３３】
１つ以上のセルを仮想的に１つとみなしたものが、サービスエリア（ＳＡ；Service Area）に相当する。図２では、サービスエリア２１１とセル２０１が一致する。また、サービスエリア２１２には、セル２０２とセル２０３が含まれる。なお、図２において、ＨＮＢの数を３としているが、ＨＮＢの数を限定する趣旨ではない。
【００３４】
初めに、図２〜図９を参照しつつ、第１の実施形態に係る同報配信システムの動作の概略を説明する。
【００３５】
第１の実施形態に係る同報配信システムは、２つのフェーズにより緊急速報メッセージがＵＥ１４に配信可能となる。第１のフェーズは、ＨＮＢ管理フェーズである。第２のフェーズは、情報配信フェーズである。
【００３６】
［ＨＮＢ管理フェーズ］
ＨＮＢ管理フェーズとは、同報配信システムにて通常発生するＨＮＢの状態を管理するフェーズである。
【００３７】
図３は、ＨＮＢ管理フェーズを説明するためのシーケンス図である。図３を参照すると、ＨＮＢ１３の電源が投入され、当該ＨＮＢ１３が使用可能（動作状態）となると、ＨＮＢ１３は位置情報登録要求メッセージ（ＨＮＢＡＰ  ＨＮＢ  ＲＥＧＩＳＴＥＲ  ＲＥＱＵＥＳＴ；以下、ＨＮＢ  ＲＥＧＩＳＴＥＲ  ＲＥＱＵＥＳＴと表記）をＨＮＢ−ＧＷ１２に通知する（ステップＳ０１）
【００３８】
その際、ＨＮＢ１３は、位置情報登録要求メッセージに、ＨＮＢ固有のＬＡＣ  ＩＥ（Location Area Code Information Element；以下、ＬＡＣと表記する）とＳｅｒｖｉｃｅ  Ａｒｅａ  ｆｏｒ  Ｂｒｏａｄｃａｓｔ  ＩＥ（以下、Ｓｅｒｖｉｃｅ  Ａｒｅａ  ｆｏｒ  Ｂｒｏａｄｃａｓｔと表記する）を設定する。図３では、ＬＡＣ＝１００とＳｅｒｖｉｃｅ  Ａｒｅａ  ｆｏｒ  Ｂｒｏａｄｃａｓｔ＝ＳＡ１が設定されている。
【００３９】
上記メッセージを受信したＨＮＢ−ＧＷ１２は、通知されたＬＡＣとＳｅｒｖｉｃｅ  Ａｒｅ  ｆｏｒ  Ｂｒｏａｄｃａｓｔのマッピングを行い、データベース（記憶部）に登録する（ステップＳ０２）。具体的には、ＨＮＢ−ＧＷ１２は、ＨＮＢ管理テーブルにより、通知されたＬＡＣに相当するＨＮＢ１３と当該ＨＮＢ１３が属するサービスエリアの対応を管理する。図４は、ＨＮＢ管理テーブルの一例を示す図である。上記の例では、図４の１行目のエントリーが追加される。
【００４０】
図３を参照すると、上記マッピングの後、ＨＮＢ−ＧＷ１２は、ＳＡＢＰ（Service Area Broadcast Protocol）に規定されたＲＥＳＴＡＲＴメッセージをＣＢＣ１１に通知する（ステップＳ０３）。その際、受信した位置情報登録要求メッセージが、サービスエリア（ＳＡ；Service Area）から受信した最初のメッセージであれば、ＨＮＢ−ＧＷ１２は、当該サービスエリア（図３の例ではＳＡ１）が使用可能となった旨を、ＣＢＣ１１に通知する。より具体的には、ＨＮＢ−ＧＷ１２は、該当サービスエリア（最初のメッセージを受信したサービスエリア）をサービスエリアリスト（ＳＡ  Ｌｉｓｔ；Service Area List）に記載し、ＲＥＳＴＡＲＴメッセージをＣＢＣ１１に送信する。即ち、ＨＮＢ−ＧＷ１２はＳｅｒｖｉｃｅ  Ａｒｅａ  ｆｏｒ  Ｂｒｏａｄｃａｓｔ  ＩＥの値をＳｅｒｖｉｃｅ  Ａｒｅａ  ＩＥとしてＣＢＣ１１にＲＥＳＴＡＲＴメッセージを用いて通知する。
【００４１】
ＣＢＣ１１は、通知されたサービスエリアを、緊急速報メッセージの配信先として記憶する。ＣＢＣ１１は、ＲＥＳＴＡＲＴメッセージを受信した後、当該通知されたＳＡ  Ｌｉｓｔのサービスエリアを、自装置のデータベース（記憶部）に記憶する。例えば、図２を参照すると、ＨＮＢ１３−２とＨＮＢ１３−３は、同じ値のＳｅｒｖｉｃｅ  Ａｒｅａ  ｆｏｒ  Ｂｒｏａｄｃａｓｔを有し、それぞれがＨＮＢ  ＲＥＧＩＳＴＥＲ  ＲＥＱＵＥＳＴメッセージを用いて、ＨＮＢ−ＧＷ１２に通知する。ＨＮＢ−ＧＷ１２は、２つのＨＮＢ１３−２又は１３−３から上記メッセージを受信すると、サービスエリア２１２が有効となった旨をＣＢＣ１１に通知する。ＣＢＣ１１は、当該通知に基づき、サービスエリア２１２を、緊急速報メッセージの配信対象として管理する。
【００４２】
ＨＮＢ−ＧＷ１２は、ＣＢＣ１１から上記２つのＨＮＢ１３に対応するＳｅｒｖｉｃｅ  Ａｒｅａ  ｆｏｒ  Ｂｒｏａｄｃａｓｔのサービスエリアが通知されれば、図４に示すＨＮＢ管理テーブルを参照することで、上記２つのＨＮＢ１３が同一のサービスエリア内に在圏すると判断できる。
【００４３】
また、ＨＮＢ−ＧＷ１２は、ＨＮＢ  ＲＥＧＩＳＴＥＲ  ＡＣＣＥＰＴメッセージをＨＮＢ１３に返信（返却）する（ステップＳ０４）。
【００４４】
フェムトシステムでは、ユーザの操作や障害により、ＨＮＢの電源がＯＦＦとなり、接続が切れる場合がある。この場合、図５に示すように、ＨＮＢ１３は、ＳＡＢＰに規定されたＦＡＩＬＵＲＥメッセージをＨＮＢ−ＧＷ１２に通知する（ステップＳ１１〜Ｓ１３）。
【００４５】
当該通知を受けたＨＮＢ−ＧＷ１２は、上記ＦＡＩＬＵＲＥメッセージを送信してきたＨＮＢが属するサービスエリアの状態管理を行う（ステップＳ１４）。ＨＮＢ−ＧＷ１２は、ＦＡＩＬＵＲＥメッセージを受信すると、当該メッセージを送信してきたＨＮＢ１３の状態を、「停止（不可）」に設定し、ＨＮＢ管理テーブル（図４参照）に登録する。なお、図４において、「ＣＯＭＰＬＥＴＥ」が設定されたサービスエリアは使用可能な状態にあり、「ＦＡＩＬＵＲＥ」が設定されたサービスエリアは使用不可な状態にあることを示す。
【００４６】
ＨＮＢ−ＧＷ１２は、ＦＡＩＬＵＲＥメッセージの受信のたびに上記の管理を行い、各サービスエリアに在圏する全てのＨＮＢ１３が停止（不可）となった場合、当該サービスエリアをＳＡ  Ｌｉｓｔに登録し、且つ、当該サービスエリアの状態を使用不可（ＦＡＩＬＵＲＥ状態）に設定し、ＣＢＣ１１に通知する。例えば、図４において、ＬＡＣ＝１００、１０１に相当するＨＮＢ１３の状態が「稼働」から「停止」に遷移すると、ＬＡＣ＝１００〜１０２の全てが属するサービスエリアＳＡ１がＳＡ  Ｌｉｓｔに登録され、且つ、サービスエリアＳＡ１の状態がＦＡＩＬＵＲＥに設定され、ＣＢＣ１１に通知される。
具体的には、ＨＮＢ−ＧＷ１２は、ＨＮＢ管理テーブルの更新の後、上記の通知（ＳＡ１が使用不可）を、ＦＡＩＬＵＲＥメッセージの送信によりＣＢＣ１１に通知する（ステップＳ１５）。
【００４７】
また、ＣＢＣ１１に対してＦＡＩＬＵＲＥ状態として通知したサービスエリアに属するＨＮＢ１３が再起動する場合がある。例えば、図６に示すように、ＨＮＢ１３の１つが、ＳＡＢＰで規定されたＲＥＳＴＡＲＴメッセージを送信する（ステップＳ２１）。この場合、ＨＮＢ−ＧＷ１２は、当該メッセージを受信すると、ＨＮＢ管理テーブルにおける該当サービスエリアをＣＯＭＰＬＥＴＥ状態に設定することで、サービスエリアの状態を管理する（ステップＳ２２）。例えば、図４において、サービスエリアＳＡ２はＦＡＩＬＵＲＥ状態にあるが、ＬＡＣ＝２００又は２０１に対応するＨＮＢ１３が再起動した場合には、サービスエリアＳＡ２の状態はＣＯＭＰＬＥＴＥに設定される。
【００４８】
ＨＮＢ−ＧＷ１２は、ＨＮＢ管理テーブルの更新の後、ＣＢＣ１１に対して、使用可能なサービスエリアをＳＡ  Ｌｉｓｔに設定して、ＲＥＳＴＡＲＴメッセージにより通知する（ステップＳ２３）。なお、ＨＮＢ−ＧＷ１２が、ＣＢＣ１１にＲＥＳＴＡＲＴメッセージを送信した後に、他のＨＮＢ１３からＲＥＳＴＡＲＴメッセージを受信したとしても（ステップＳ２４、Ｓ２５）、当該メッセージはＨＮＢ−ＧＷ１２により破棄される。サービスエリアに在圏する複数のＨＮＢ１３のうち、１つのＨＮＢ１３が使用可能となれば、当該サービスエリアの状態遷移（ＦＡＩＬＵＲＥからＣＯＭＰＬＥＴＥへの状態遷移）は完了するためである。
【００４９】
［情報配信フェーズ］
続いて、情報配信フェーズを説明する。
【００５０】
情報配信フェーズとは、巨大地震等が発生した場合に緊急速報メッセージを、各ＵＥ１４に配信するフェーズである。
【００５１】
図７は、情報配信フェーズを説明するためのシーケンス図である。巨大地震等が発生すると、緊急速報メッセージが当該地震の発生時に、ＣＢＥ１０からＣＢＣ１１へ向けて、ＩＮＦＯＲＭＡＴＩＯＮメッセージとして配信される（ステップＳ３１）。
【００５２】
当該ＩＮＦＯＲＭＡＴＩＯＮメッセージを受信したＣＢＣ１１は、緊急速報メッセージを配信すべきエリアを、サービスエリアリスト（ＳＡ  Ｌｉｓｔ）として作成する。ＣＢＣ１１は、当該サービスエリアリストをＳＡＢＰにより規定されたＷＲＩＴＥ−ＲＥＰＬＡＣＥ  ＲＥＱＵＥＳＴメッセージに設定し、ＨＮＢ−ＧＷ１２に配信する（ステップＳ３２）。
【００５３】
ＨＮＢ−ＧＷ１２は、当該メッセージを受信すると、応答受信タイマ（以下、単にタイマと表記する）を起動する（ステップＳ３３）。
【００５４】
次に、ＨＮＢ−ＧＷ１２は、ＨＮＢ管理フェーズにて記憶したＨＮＢ管理テーブルを検索し、ＷＲＩＴＥ−ＲＥＰＬＡＣＥ  ＲＥＱＵＥＳＴメッセージに含まれるサービスエリアリスト（ＳＡ  Ｌｉｓｔ）のサービスエリアに適合するサービスエリア及びその対応するＬＡＣを特定する（ステップＳ３４）。例えば、ＣＢＣ１１はサービスエリアリストにＳＡ１を設定したものとする。この場合、図４を参照すると、一行目〜三行目に記載されたサービスエリアＳＡ１及びＬＡＣ＝１００〜１０２が特定される。
【００５５】
次に、ＨＮＢ−ＧＷ１２は、上記特定した情報に基づいて、ＷＲＩＴＥ−ＲＥＰＬＡＣＥ  ＲＥＱＵＥＳＴメッセージを各ＨＮＢ１３に向けて送信する（ステップＳ３５）。
【００５６】
上記メッセージを受信したＨＮＢ１３は、受信が正常に行えた場合には、ＷＲＩＴＥ−ＲＥＰＬＡＣＥ  ＣＯＭＰＬＥＴＥメッセージをＨＮＢ−ＧＷ１２に返却する（ステップＳ３６）。その際、ＨＮＢ１３は、Ｎｕｍｂｅｒ  ｏｆ  Ｃｏｍｐｌｅｔｅｄ  Ｌｉｓｔに、該当サービスエリア（自身の属するサービスエリア；図７の例ではＳＡ１）を設定し、上記メッセージを返却する。
【００５７】
ＨＮＢ１３は、ページング（ＰＡＧＩＮＧ）にて配下のＵＥ１４に、緊急速報メッセージを報知する（ステップＳ３７）。
【００５８】
ＨＮＢ−ＧＷ１２は、ＷＲＩＴＥ−ＲＥＰＬＡＣＥ  ＣＯＭＰＬＥＴＥメッセージの受信に応じて、ＨＮＢ１３に対する同報配信の状況を管理する（ステップＳ３８）。具体的には、ＨＮＢ−ＧＷ１２は、同報配信管理テーブルにより、各サービスエリアへの同報配信状態を管理する。
【００５９】
図８は、同報配信管理テーブルの一例を示す図である。なお、図８において、「ＣＯＭＰＬＥＴＥ」が設定されたサービスエリアは同報配信が完了（成功）したサービスエリアであり、「ＦＡＩＬＵＲＥ」が設定されたサービスエリアは同報配信が未完了（又は失敗）のサービスエリアである。
【００６０】
ＨＮＢ−ＧＷ１２は、サービスエリア（上記の例ではＳＡ１）から最初にＷＲＩＴＥ−ＲＥＰＬＡＣＥ  ＣＯＭＰＬＥＴＥメッセージを受信すると、当該サービスエリアを受信完了状態（ＣＯＭＰＬＥＴＥ状態）に設定する。また、ＨＮＢ−ＧＷ１２は、Ｎｕｍｂｅｒ  ｏｆ  Ｃｏｍｐｌｅｔｅｄ  Ｌｉｓｔに当該サービスエリアを登録する。
【００６１】
ＨＮＢ−ＧＷ１２は、その配下の全てのサービスエリアへの同報配信状態が、タイマ起動中に受信完了状態（ＣＯＭＰＬＥＴＥ状態）に遷移した場合には、タイマを停止する（ステップＳ３９）。
【００６２】
その後、ＨＮＢ−ＧＷ１２は、ＣＢＣ１１に向けて、ＷＲＩＴＥ−ＲＥＰＬＡＣＥ  ＣＯＭＰＬＥＴＥメッセージを返却する（ステップＳ４０）。その際、ＷＲＩＴＥ−ＲＥＰＬＡＣＥ  ＣＯＭＰＬＥＴＥメッセージには、サービスエリアＳＡ１が設定されたＮｕｍｂｅｒ  ｏｆ  Ｃｏｍｐｌｅｔｅｄ  Ｌｉｓｔが登録されている。
【００６３】
当該メッセージを受信したＣＢＣ１１は、ＣＢＥ１０に対して、ＡＣＫを返却する（ステップＳ４１）。
【００６４】
［ＣＢＣの構成］
図９は、ＣＢＣ１１の内部構成の一例を示す図である。図９を参照すると、ＣＢＣ１１は、通信制御部５１と、記憶部５２と、同報配信部５３と、を含む。
【００６５】
通信制御部５１は、ＣＢＥ１０やＨＮＢ−ＧＷ１２との間の通信を制御する手段である。記憶部５２は、ＣＢＣ１１の動作に必要な情報を記憶する手段である。例えば、記憶部５２は、ＨＮＢ−ＧＷ１２から通知されたＳＡ  Ｌｉｓｔのサービスエリアを記憶する。
同報配信部５３は、ＣＢＥ１０からＩＮＦＯＲＭＡＴＩＯＮメッセージを受信すると、緊急速報メッセージをＨＮＢ−ＧＷ１２に配信する手段である。
【００６６】
［ＨＮＢの構成］
図１０は、ＨＮＢ１３の内部構成の一例を示す図である。図１０を参照すると、ＨＮＢ１３は、通信制御部６１と、状態管理部６２と、同報配信部６３と、を含む。
【００６７】
通信制御部６１は、ＨＮＢ−ＧＷ１２やＵＥ１４との間の通信を制御する手段である。
【００６８】
状態管理部６２は、自装置の状態を管理する手段である。例えば、状態管理部６２は、起動、停止、再起動等により自身の状態が変化した場合、当該変化をＨＮＢ−ＧＷ１２に通知する。その際、状態管理部６２は、通信制御部６１を介して、ＲＥＧＩＳＴＥＲ  ＲＥＱＵＥＳＴ、ＦＡＩＬＵＲＥ、ＲＥＳＴＡＲＴに係る各種メッセージをＨＮＢ−ＧＷ１２に送信する。
【００６９】
同報配信部６３は、ＵＥに対する同報配信を制御する手段である。例えば、同報配信部６３は、ＨＮＢ−ＧＷ１２からＷＲＩＴＥ−ＲＥＰＬＡＣＥ  ＲＥＱＵＥＳＴメッセージを受信すると、自身のセルに存在するＵＥ１４に向けて緊急速報メッセージを同報配信する手段である。
【００７０】
［ＨＮＢ−ＧＷの構成］
図１１は、ＨＮＢ−ＧＷ１２の内部構成の一例を示す図である。図１１を参照すると、ＨＮＢ−ＧＷ１２は、通信制御部７１と、記憶部７２と、同報配信制御部７３と、サービスエリア管理部７４と、を含む。
【００７１】
通信制御部７１は、ＣＢＣ１１やＨＮＢ１３との間の通信を制御する手段である。記憶部７２は、ＨＮＢ−ＧＷ１２の動作に必要な情報を記憶する手段である。また、記憶部７２は、ＨＮＢ管理テーブル及び同報配信管理テーブルを記憶する。同報配信制御部７３は、主に情報配信フェーズにて動作する。サービスエリア管理部７４は、主にＨＮＢ管理フェーズにて動作する。
【００７２】
以下、同報配信制御部７３、サービスエリア管理部７４それぞれの動作の詳細を説明する。
【００７３】
ここで、上述のように、セルブロードキャストサービス（ＣＢＳ）は、非特許文献１により規定されている。また、ＣＢＣとＲＮＣ（ＨＮＢ−ＧＷ）間のプロトコルは、ＳＡＢＰとして非特許文献２により規定されている。非特許文献２では、ＣＢＣからＲＮＣに向けて送信したメッセージであって、ＨＮＢからメッセージ配信の成功、失敗の応答があるものをＣｌａｓｓ１と定義している。また、ＨＮＢからメッセージ配信に対する応答がないものをＣｌａｓｓ２と定義している。なお、これらの詳細は、非特許文献２の３．１章に開示されている。具体的には、以下のとおり、分類分けされている。
【００７４】
Ｃｌａｓｓ  １
１．１；ＷＲＩＴＥ−ＲＥＰＬＡＣＥ  
１．２；ＷＲＩＴＥ−ＲＥＰＬＡＣＥ  ＣＯＭＰＬＥＴＥ  
１．３；ＷＲＩＴＥ−ＲＥＰＬＡＣＥ  ＦＡＩＬＵＲＥ    
２．１；ＫＩＬＬ  
２．２；ＫＩＬＬ  ＣＯＭＰＬＥＴＥ  
２．３；ＫＩＬＬ  ＦＡＩＬＵＲＥ  
３．１；ＬＯＡＤ  ＱＵＥＲＹ  
３．２；ＬＯＡＤ  ＱＵＥＲＹ  ＣＯＭＰＬＥＴＥ  
３．３；ＬＯＡＤ  ＱＵＥＲＹ  ＦＡＩＬＵＲＥ  
４．１；ＭＥＳＳＡＧＥ  ＳＴＡＴＵＳ  ＱＵＥＲＹ  
４．２；ＭＥＳＳＡＧＥ  ＳＴＡＴＵＳ  ＱＵＥＲＹ  ＣＯＭＰＬＥＴＥ  
４．３；ＭＥＳＳＡＧＥ  ＳＴＡＴＵＳ  ＱＵＥＲＹ  ＦＡＩＬＵＲＥ  
５．１；ＲＥＳＥＴ  
５．２；ＲＥＳＥＴ  ＣＯＭＰＬＥＴＥ  
５．３；ＲＥＳＥＴ  ＦＡＩＬＵＲＥ
【００７５】
Ｃｌａｓｓ  ２  
６；ＲＥＳＴＡＲＴ  
７；ＦＡＩＬＵＲＥ  
８；ＥＲＲＯＲ  ＩＮＤＩＣＡＴＩＯＮ
【００７６】
［同報配信制御部］
ここでは、上記のＣｌａｓｓ１の各信号を受信した場合の同報配信制御部７３の動作を、図１２〜図２０を参照しつつ、説明する。
【００７７】
同報配信制御部７３は、ＣＢＣ１１からＣｌａｓｓ１メッセージを受信すると、図１２に示す処理を実行する。なお、図１２では、ＣＢＣ１１からＷＲＩＴＥ−ＲＥＰＬＡＣＥメッセージを受信した場合の動作が示されている。
【００７８】
同報配信制御部７３は、ＷＲＩＴＥ−ＲＥＰＬＡＣＥメッセージ等を受信（ステップＳ１０１）すると、タイマを起動する（ステップＳ１０２）。
【００７９】
その後、同報配信制御部７３は、ステップＳ１０３〜Ｓ１０７までの処理を、サービスエリアリスト（ＳＡ  Ｌｉｓｔ）に設定されたサービスエリアの数と等しい回数で繰り返す（ループ１の処理）。
【００８０】
同報配信制御部７３は、サービスエリアリストに設定されたサービスエリアが、ＨＮＢ管理テーブル（図４参照）に登録されているか否かを判定する（ステップＳ１０３）。つまり、同報配信制御部７３は、サービスエリアリストに設定されたサービスエリアを、ＨＮＢ管理テーブルから検索し、対応するＬＡＣを特定する。ＬＡＣが特定されることで、緊急速報メッセージを配信する必要のあるＨＮＢ１３が特定される。
【００８１】
サービスエリアが登録されていれば（ステップＳ１０３、Ｙｅｓ分岐）、同報配信制御部７３は、特定されたＨＮＢ１３（該当するサービスエリア配下のＨＮＢ１３）の全てに向けてＷＲＩＴＥ−ＲＥＰＬＡＣＥメッセージを送信（ステップＳ１０４）する処理を繰り返す（ループ２の処理）。
【００８２】
一方、サービスエリアが登録されていなければ（ステップＳ１０３、Ｎｏ分岐）、同報配信制御部７３は、サービスエリアリストに設定されたサービスエリアを、ＨＮＢ管理テーブル及び同報配信管理テーブルに登録する（ステップＳ１０５）。例えば、図４及び図８を参照すると、同報配信制御部７３は、サービスエリアＳＡ４に係るサービスエリアがＣＢＣ１１から通知され、当該サービスエリアＳＡ４がＨＮＢ管理テーブルと同報配信管理テーブルに登録されていなければ、サービスエリアＳＡ４に対応するエントリーを作成し、上記２つのテーブルに追加する。
【００８３】
また、同報配信制御部７３は、同報配信管理テーブルにおける上記追加したサービスエリアの状態を、ＦＡＩＬＵＲＥに設定（ステップＳ１０６）し、Ｃａｕｓｅ値を登録する（ステップＳ１０７）。
【００８４】
なお、ステップＳ１０１にて、ＷＲＩＴＥ−ＲＥＰＬＡＣＥメッセージ以外のメッセージ（ＫＩＬＬ／ＬＯＡＤ  ＱＵＥＲＹ／Ｍｅｓｓａｇｅ  ＳＴＡＴＵＳ  ＱＵＥＲＹ／ＲＥＳＥＴ）を受信した場合は、同報配信制御部７３は、ステップ１０４におけるメッセージを、上記他のメッセージに変更して処理を実行する。
【００８５】
ＨＮＢ１３から応答を受信すると、同報配信制御部７３は、図１３〜図１６示す処理を実行する。
【００８６】
図１３を参照すると、同報配信制御部７３は、ＨＮＢ１３からＷＲＩＴＥ−ＲＥＰＬＡＣＥ  ＣＯＭＰＬＥＴＥ又はＷＲＩＴＥ−ＲＥＰＬＡＣＥ  ＦＡＩＲＵＲＥメッセージを受信する（ステップＳ２０１）。
【００８７】
その後、同報配信制御部７３は、タイマが起動中か否か判定する（ステップＳ２０２）。タイマが起動中でなければ（ステップＳ２０２、Ｎｏ分岐）、処理を終了する。
【００８８】
タイマが起動中であれば（ステップＳ２０２、Ｙｅｓ分岐）、ステップＳ２０３以降の処理が実行される。
【００８９】
同報配信制御部７３は、ステップＳ２０３にて、受信したメッセージがＷＲＩＴＥ−ＲＥＰＬＡＣＥ  ＣＯＭＰＬＥＴＥメッセージであるか否かを判定する（ステップＳ２０３）。ＷＲＩＴＥ−ＲＥＰＬＡＣＥ  ＣＯＭＰＬＥＴＥメッセージであれば（ステップＳ２０３、Ｙｅｓ分岐）、同報配信制御部７３は、上記メッセージの該当サービスエリアはＣＯＭＰＬＥＴＥに設定されているか否かを判定する（ステップＳ２０４）。
【００９０】
ＣＯＭＰＬＥＴＥに設定されていれば（ステップＳ２０４、Ｙｅｓ分岐）、同報配信制御部７３は、該当サービスエリアをＮｕｍｂｅｒ  ｏｆ  Ｃｏｍｐｌｅｔｅｄ  Ｌｉｓｔに登録する（ステップＳ２０５）。その後、同報配信制御部７３は、該当サービスエリアの同報配信状態をＣＯＭＰＬＥＴＥに設定する（ステップＳ２０６）。
【００９１】
同報配信制御部７３は、受信したメッセージが、ＷＲＩＴＥ−ＲＥＰＬＡＣＥ  ＣＯＭＰＬＥＴＥメッセージでなければ（ステップＳ２０３、Ｎｏ分岐）、ＷＲＩＴＥ−ＲＥＰＬＡＣＥ  ＦＡＩＬＵＲＥメッセージにＮｕｍｂｅｒ  ｏｆ  Ｃｏｍｐｌｅｔｅｄ  Ｌｉｓｔが登録されているか否かを判定する（ステップＳ２０７）。
【００９２】
リストに登録されていれば（ステップＳ２０７、Ｙｅｓ分岐）、同報配信制御部７３は、該当サービスエリアをＮｕｍｂｅｒ  ｏｆ  Ｃｏｍｐｌｅｔｅｄ  Ｌｉｓｔに登録する（ステップＳ２０８）。
【００９３】
リストに登録されていなければ（ステップＳ２０７、Ｎｏ分岐）、同報配信制御部７３は、該当サービスエリアの同報配信状態がＣＯＭＰＬＥＴＥに設定されているか否か判定する（ステップＳ２０９）。ＣＯＭＰＬＥＴＥが設定されていなければ（ステップＳ２０９、Ｎｏ分岐）、同報配信制御部７３は、ＦＡＩＬＵＲＥメッセージのＣａｕｓｅ値を、一時的に保存する（ステップＳ２１０）。
【００９４】
その後、同報配信制御部７３は、該当するサービスエリアの配下にある全てのＨＮＢ１３から受信したメッセージが、ＷＲＩＴＥ−ＲＥＰＬＡＣＥ  ＦＡＩＬＵＲＥメッセージであるか否かを判定する（ステップＳ２１１）。
【００９５】
受信したメッセージがＷＲＩＴＥ−ＲＥＰＬＡＣＥ  ＦＡＩＬＵＲＥメッセージであれば、同報配信制御部７３は、該当サービスエリアをＦＡＩＬＵＲＥ  ＬＩＳＴ  ＩＥに登録すると共に、同報配信管理テーブルの状態をＦＡＩＬＵＲＥに設定する（ステップＳ２１２、Ｓ２１３）。また、一時的に保存されたＣｕａｓｅ値が設定される（ステップＳ２１４）。
【００９６】
ステップＳ２１５において、同報配信制御部７３は、全てのサービスエリアに関し、同報配信状態が設定されているか否かを判定する。状態が設定されていれば（ステップＳ２１５、Ｙｅｓ分岐）、同報配信制御部７３は、ＦＡＩＬＵＲＥ  ＬＩＳＴにＦＡＩＬＵＲＥが設定されたサービスエリアが存在するか否か判定する（ステップＳ２１６）。
【００９７】
ＦＡＩＬＵＲＥに設定されたサービスエリアが存在すれば（ステップＳ２１６、Ｙｅｓ分岐）、同報配信制御部７３は、タイマを停止（ステップＳ２１７）し、ＷＲＩＴＥ−ＲＥＰＬＡＣＥ  ＦＡＩＬＵＲＥメッセージをＣＢＣ１１に送信する（ステップＳ２１８）。
【００９８】
ＦＡＩＬＵＲＥに設定されたサービスエリアが存在しなければ（ステップＳ２１６、Ｎｏ分岐）、同報配信制御部７３は、タイマを停止（ステップＳ２１９）し、ＷＲＩＴＥ−ＲＥＰＬＡＣＥ  ＣＯＭＰＬＥＴＥメッセージをＣＢＣ１１に送信する（ステップＳ２２０）。
【００９９】
なお、ＷＲＩＴＥ−ＲＥＰＬＡＣＥ  ＣＯＭＰＬＥＴＥ及びＦＡＩＬＵＲＥ以外のメッセージ（ＫＩＬＬ／ＬＯＡＤ  ＱＵＥＲＹ／Ｍｅｓｓａｇｅ  ＳＴＡＴＵＳ  ＱＵＥＲＹ）を受信した場合は、同報配信制御部７３は、ステップＳ２０１、Ｓ２０３、Ｓ２０７、Ｓ２１１、Ｓ２１８、Ｓ２２０におけるメッセージを、上記他のメッセージに変更して処理を実行する。
【０１００】
図１４は、同報配信制御部７３が、ＨＮＢ１３からＬＯＡＤ  ＱＵＥＲＹ  ＣＯＭＰＬＥＴ又はＬＯＡＤ  ＱＵＥＲＹ  ＦＡＩＲＵＲＥメッセージを受信した場合のフローチャートである。同報配信制御部７３は、ＬＯＡＤ  ＱＵＥＲＹに係るメッセージに受信した場合も、図１３に示すＷＲＩＴＥ−ＲＥＰＬＡＣＥに係るメッセージの受信時と基本的に同じ動作を行う。相違する点は、図１４のステップ２２１、Ｓ２２３、Ｓ２２７、Ｓ２３１、Ｓ２３８、Ｓ２４０におけるメッセージが、ＬＯＡＤ  ＱＵＥＲＹメッセージとなる点と、ステップＳ２２５及びＳ２２８にて、該当サービスエリアを登録するリストがＲａｄｉｏ  Ｒｅｓｏｕｒｃｅ  Ｌｏａｄｉｎｇ  Ｌｉｓｔに変わる点である。
【０１０１】
図１５は、同報配信制御部７３が、ＨＮＢ１３からＲＥＳＥＴ  ＣＯＭＰＬＥＴＥ又はＲＥＳＥＴ  ＦＡＩＲＵＲＥメッセージを受信した場合のフローチャートである。同報配信制御部７３は、ＲＥＳＥＴに係るメッセージに受信した場合も、図１３に示すＷＲＩＴＥ−ＲＥＰＬＡＣＥに係るメッセージの受信時と基本的に同じ動作を行う。相違する点は、図１５のステップ２６１、Ｓ２６３、Ｓ２７１、Ｓ２７８、Ｓ２８０におけるメッセージが、ＲＥＳＥＴメッセージとなる点と、ステップＳ２６５にて、該当サービスエリアを登録するリストがＳＥＲＶＩＣＥ  ＡＲＥＡ  ＩＥである点と、ステップＳ２０７及びＳ２０８に相当する処理が存在しない点である。
【０１０２】
図１６は、起動されたタイマが満了した場合の同報配信制御部７３の動作の一例を示すフローチャートである。
【０１０３】
同報配信制御部７３は、タイマが満了（ステップＳ３０１）すると、ステップＳ３０２〜Ｓ３０８までの処理を、状態が決定されていないサービスエリアの数だけ繰り返す（ループ３の処理）。
【０１０４】
同報配信制御部７３は、タイマ満了後に、配下のＨＮＢ１３から応答があるか否かを判定する（ステップＳ３０２）。
【０１０５】
応答がない場合（ステップＳ３０２、Ｙｅｓ分岐）には、同報配信制御部７３は、該当サービスエリアをＦＡＩＬＵＲＥ  ＬＩＳＴ  ＩＥに登録すると共に、当該サービスエリアの状態をＦＡＩＬＵＲＥに設定する（ステップＳ３０３、Ｓ３０４）。同報配信制御部７３は、ＦＡＩＬＵＲＥメッセージに設定するＣａｕｓｅ値を設定する（ステップＳ３０５）。
【０１０６】
一方、応答があった場合（ステップＳ３０３、Ｎｏ分岐）には、同報配信制御部７３は、該当サービスエリアをＦＡＩＬＵＲＥ  ＬＩＳＴ  ＩＥに登録すると共に、当該サービスエリアの状態をＦＡＩＬＵＲＥに設定する（ステップＳ３０６、Ｓ３０７）。同報配信制御部７３は、ＦＡＩＬＵＲＥメッセージによる一時的に設定されたＣａｕｓｅ値を設定する（ステップＳ３０８）。
【０１０７】
その後、同報配信制御部７３は、ＣＢＣ１１に向けて、ＷＲＩＴＥ−ＲＥＰＬＡＣＥ  ＦＡＩＬＵＲＥを送信する（ステップＳ３０９）。
【０１０８】
図１７及び図１８を参照すると、ＨＮＢ−ＧＷ１２（同報配信制御部７３）は、配下のサービスエリアに含まれるＨＮＢ１３のいずれか１つからＷＲＩＴＥ−ＲＥＰＬＡＣＥ  ＣＯＭＰＬＥＴＥメッセージを受信すると、当該サービスエリアの状態をＣＯＭＰＬＥＴＥに設定する（ステップＳ４０７、Ｓ４２８）。
【０１０９】
その後、ＨＮＢ−ＧＷ１２は、該当サービスエリアを、Ｎｕｍｂｅｒ  ｏｆ  Ｃｏｍｐｌｅｔｅｄ  Ｌｉｓｔに登録し、ＣＢＣ１１にＷＲＩＴＥ−ＲＥＰＬＡＣＥ  ＣＯＭＰＬＥＴＥメッセージを送信する（ステップＳ４１０、Ｓ４３１）。
【０１１０】
このように、ＨＮＢ−ＧＷ１２からＣＢＣ１１に対して応答が行われた後のＨＮＢ１３からの応答は考慮されない。つまり、ＨＮＢ−ＧＷ１２は、各サービスエリアの同報配信状態がＣＯＭＰＬＥＴＥであれば、受信したメッセージを無視する（図１７のステップＳ４１１、Ｓ４１２や図１８のステップＳ４３２）。但し、ＨＮＢ−ＧＷ１２は、タイマが起動中、且つ、サービスエリアの同報配信状態がＣＯＭＰＬＥＴＥでなければ、他のＨＮＢ１３からの応答を待機する。
【０１１１】
また、図１９を参照すると、配下のサービスエリアに含まれるＨＮＢ１３の全てからＷＲＩＴＥ−ＲＥＰＬＡＣＥ  ＦＡＩＬＵＲＥメッセージを受信すると、ＨＮＢ−ＧＷ１２は、当該サービスエリアの同報配信状態をＦＡＩＬＵＲＥに設定する（ステップＳ４４９）。その後、ＨＮＢ−ＧＷ１２からＣＢＣ１１に対して、ＷＲＩＴＥ−ＲＥＰＬＡＣＥ  ＦＡＩＬＵＲＥメッセージが送信される（ステップＳ４５２）。
【０１１２】
また、図２０を参照すると、タイマ起動中に、配下のサービスエリアに含まれるＨＮＢ１３から応答が得られない場合も、ＨＮＢ−ＧＷ１２は、当該サービスエリアの状態をＦＡＩＬＵＲＥに設定する（ステップＳ４６７）。
【０１１３】
さらに、ＨＮＢ−ＧＷ１２は、ＨＮＢ１３からＣＯＭＰＬＥＴＥメッセージの返却を受信した場合であっても、タイマが既に停止（満了）していれば、当該受信したメッセージを無視する。あるいは、ＨＮＢ−ＧＷ１２が、ＨＮＢ１３にメッセージを転送する際、サービスエリア配下に転送可能なＨＮＢ１３が存在しない場合には、該当サービスエリアの状態はＦＡＩＬＵＲＥに設定され、ＣＢＣ１１に通知される。
【０１１４】
［サービスエリア管理部の動作］
次に、上記のＣｌａｓｓ２の各信号を受信した場合のサービスエリア管理部７４の動作を、図２１〜図２３を参照しつつ、説明する。
【０１１５】
図２１を参照すると、サービスエリア管理部７４は、ＨＮＢ１３からＳＡＢＰにより規定されたＲＥＳＴＡＲＴメッセージを受信する（ステップＳ５０１）。サービスエリア管理部７４は、受信したＬＡＣに対応するＨＮＢ１３の状態を「稼働（可）」に設定し、ＨＮＢ管理テーブルに反映する（ステップＳ５０２）。
【０１１６】
サービスエリア管理部７４は、サービスエリアの同報配信状態をＦＡＩＬＵＲＥに設定してＣＢＣ１１に送信済み、且つ、ＲＥＳＴＡＲＴメッセージを未送信の場合（ステップＳ５０３、Ｙｅｓ分岐）に、ＲＥＳＴＡＲＴメッセージをＣＢＣ１１に送信する（ステップＳ５０４）。
【０１１７】
なお、登録されているサービスエリアから受信したメッセージが、最初のＨＮＢ１３からのメッセージの場合、サービスエリア管理部７４は、ＳＡＢＰのＲＥＳＴＡＲＴメッセージによりＳＡ  Ｌｉｓｔに該当ＳＡを追加し、ＣＢＣ１１に転送する。また、既に該当ＳＡをＳＡ  Ｌｉｓｔに設定し、ＲＥＳＴＡＲＴメッセージをＣＢＣ１１に送信済みの場合は、ＨＮＢ−ＧＷ１２は、ＲＥＳＴＡＲＴメッセージを破棄する。
【０１１８】
図２２を参照すると、サービスエリア管理部７４は、ＨＮＢ１３からＦＡＩＵＬＲＥメッセージを受信する（ステップＳ５１１）。この場合、サービスエリア管理部７４は、受信したＬＡＣに対応するＨＮＢ１３の状態を「停止（不可）」に設定し、ＨＮＢ管理テーブルに反映する（ステップＳ５１２）。その結果、同一のサービスエリア内に使用可能なＨＮＢ１３が不存在となった場合（ステップＳ５１３、Ｎｏ分岐）、サービスエリア管理部７４はＣＢＣ１１にＦＡＩＬＵＲＥメッセージを送信する（ステップＳ５１４）。
【０１１９】
サービスエリア管理部７４は、上記以外にもＨＮＢ１３が使用できなくなった場合に、ＣＢＣ１１にＦＡＩＬＵＲＥメッセージを送信する（図２３参照）。
【０１２０】
図２３を参照すると、ＨＮＢ  ＤＥＲＥＧＩＳＴＥＲメッセージを送信した場合（ＨＮＢ−ＧＷとＨＮＢ間の接続が切れた場合）やＨＮＢからＨＮＢ  ＤＥＲＥＧＩＳＴＥＲメッセージを受信した場合（ステップＳ５２１）にも、当該ＨＮＢ１３の状態は「停止（不可）」に設定される（ステップＳ５２２）。また、その結果、同一のサービスエリア内に使用可能なＨＮＢ１３が不存在となった場合（ステップＳ５２３、Ｎｏ分岐）に、サービスエリア管理部７４はＣＢＣ１１にＦＡＩＬＵＲＥメッセージを送信する（ステップＳ５２４）。
【０１２１】
以上のように、第１の実施形態に係る同報配信システムでは、ＣＢＣ１１とＨＮＢ１３の中間に位置する中継装置（ＨＮＢ−ＧＷ１２）が、サービスエリアと当該サービスエリアに属するＨＮＢ１３を関係づけて管理する。また、ＨＮＢ−ＧＷ１２は、ＨＮＢの動作状態や同報配信に関する制御、管理を行う。換言するならば、ＣＢＣ１１は、ＨＮＢ−ＧＷ１２が担当するような煩雑な制御、管理（全てのＨＮＢの状態管理等）をする必要がなく、サービスエリア単位での状態管理を行えば十分である。その結果、ＣＢＣ１１におけるＨＮＢ１３に緊急速報メッセージを配信するための負荷が低減される。
【０１２２】
より具体的には、図３を用いて説明したように、ＨＮＢ登録フェーズにおいて、新たなＨＮＢ１３が追加された場合には、ＨＮＢ  ＲＥＧＩＳＴＥＲ  ＲＥＱＵＥＳＴメッセージを用いて、ＬＡＣとＳｅｒｖｉｃｅ  Ａｒｅａ  ｆｏｒ  Ｂｒｏａｄｃａｓｔを関連付けて保存する。即ち、ＨＮＢ−ＧＷ１２は、ＬＡＣにより識別されるＨＮＢ１３は、いずれかのＳｅｒｖｉｃｅ  Ａｒｅａ  ｆｏｒ  Ｂｒｏａｄｃａｓｔに属するように管理される。さらに、ＨＮＢ  ＲＥＧＩＳＴＥＲ  ＲＥＱＵＥＳＴメッセージが、当該サービスエリアから取得した最初のＲＥＧＩＳＴＥＲ  ＲＥＱＵＥＳＴメッセージである場合に、ＨＮＢ−ＧＷ１２は、ＳＡＢＰにより規定されるＲＥＳＴＡＲＴメッセージのＳｅｒｖｉｃｅ  Ａｒｅａ  ＩＥに、Ｓｅｒｖｉｃｅ  Ａｒｅａ  ｆｏｒ  Ｂｒｏａｄｃａｓｔ  ＩＥを設定することで、ＣＢＣ１１に緊急速報メッセージの配信先を通知する。
【０１２３】
以上のＨＮＢ−ＧＷ１２における対応の結果、第１の実施形態に係る同報配信システムは、１つのサービスエリアに複数のＨＮＢ１３を登録できるようになる。
【０１２４】
また、第１の実施形態に係る同報配信システムは、ＣＢＣ１１から緊急速報メッセージの受信時に、当該メッセージに含まれるＳＡ  Ｌｉｓｔと、サービスエリアとＨＮＢのマッピング情報と、を参照することで、複数のＨＮＢ１３にメッセージが配信できる。
【０１２５】
さらに、第１の実施形態に係る同報配信システムは、ＣＢＣ１１からの緊急速報メッセージをＨＮＢ−ＧＷ１２からＨＮＢ１３に転送した後に、ＨＮＢ１３からの応答メッセージをサービスエリア単位で管理し、ＣＢＣ１１に応答メッセージを返却できる（上記Ｃｌａｓｓ１の信号に対応できる）。
【０１２６】
さらにまた、第１の実施形態に係る同報配信システムは、ＨＮＢからメッセージを受信後に、サービスエリア単位でＨＮＢを管理し、ＣＢＣ１１にメッセージを送信できる（上記Ｃｌａｓｓ２の信号に対応できる）。
【０１２７】
なお、同報配信制御部７３やサービスエリア管理部７４は、ＨＮＢ−ＧＷ１２に搭載されたコンピュータに、そのハードウェアを用いて、上述の処理を実行させるコンピュータプログラムにより実現することもできる。
【０１２８】
以上により、ＣＢＣ１１は、数十万に及ぶようなＨＮＢ１３の状態を管理せずとも、サービスエリア単位の管理により、緊急速報メッセージをＵＥ１４に配信できる。即ち、ＨＮＢ−ＧＷ１２が、ＣＢＣ１１に代わって、ＨＮＢ１３の状態管理を行うため、ＣＢＣ１１はサービスエリアの状態だけを管理すればよいことになり、その負荷が低下する。
【０１２９】
また、緊急速報メッセージを配信する際、ＣＢＣ１１は、数十万に及ぶような全てのＨＮＢ１３を含むリストを作成し、配信することが不要となる。つまり、ＣＢＣ１１は、サービスエリアの数に相当する数だけ、メッセージを配信すればよい。さらに、上記の事項により、ＨＮＢ−ＧＷ１２とＣＢＣ１１の間の信号数が減少する。具体的には、仕様上、１つのサービスエリアに最大６５５３５の数のセルが登録可能なので、最大６５５３５分の１にまで信号数が削減できる。
【０１３０】
なお、第１の実施形態にて説明した同報配信システムの構成及び動作は例示であって、種々の変形が可能である。例えば、ＨＮＢ−ＧＷが、ＣＢＣ１１から取得するサービスエリアリスト（ＳＡ  Ｌｉｓｔ）と、ＨＮＢ１３を関連付ける手法は、ＬＡＣを用いることに変えて、Ｃｅｌｌ  ＩＤ（Identifier）やＲＡＣ（Routing Area Code）を用いてもよい。
【０１３１】
上記の実施形態の一部又は全部は、以下の付記のようにも記載され得るが、以下には限られない。
【０１３２】
［付記１］
端末に無線接続を提供し、１つのセルを形成するフェムトセル用基地局と、
前記フェムトセル用基地局がコアネットワークとの間で送受信するデータを中継するゲートウェイ装置と、
前記ゲートウェイ装置と接続された無線ネットワーク制御装置と、
前記フェムトセル用基地局と接続された端末に向けた同報配信メッセージを、前記無線ネットワーク制御装置に送信する同報配信装置と、
を含み、
前記ゲートウェイ装置は、
前記フェムトセル用基地局が形成するセルを少なくとも１以上含むサービスエリアを単位として、前記フェムトセル用基地局の動作状態及び前記端末への同報配信を制御する、同報配信システム。
［付記２］
前記ゲートウェイ装置は、
新たにフェムトセル用基地局が使用可能に遷移した場合には、前記新たなフェムトセル用基地局と前記新たなフェムトセル用基地局の属するサービスエリアを関連付け、第１の管理テーブルに登録する、付記１の同報配信システム。
［付記３］
前記ゲートウェイ装置は、
前記新たなフェムトセル用基地局から位置情報登録要求メッセージを受信した場合であって、前記位置情報登録要求メッセージを、前記新たなフェムトセル用基地局の属するサービスエリアの他のフェムトセル用基地局から受信していない場合は、前記新たなフェムトセル用基地局が属するサービスエリアが使用可能となった旨を、前記無線ネットワーク制御装置に通知する、付記２の同報配信システム。
［付記４］
前記ゲートウェイ装置は、
サービスエリアに使用可能な前記フェムトセル用基地局が不存在となった場合に、前記使用可能なフェムトセル用基地局が存在しないサービスエリアが使用不可となった旨を、前記無線ネットワーク制御装置に通知する、付記２又は３の同報配信システム。
［付記５］
前記ゲートウェイ装置は、
前記無線ネットワーク制御装置を経由して、前記同報配信装置から前記同報配信メッセージを受信した場合、前記第１の管理テーブルを参照することで、前記同報配信メッセージを配信するサービスエリアと前記同報配信メッセージを配信するサービスエリアに属する前記フェムトセル用基地局を特定する、付記２乃至４のいずれか一に記載の同報配信システム。
［付記６］
前記ゲートウェイ装置は、
各サービスエリアにおける同報配信の状態を、第２の管理テーブルにより管理し、
前記第２の管理テーブルは、サービスエリアごとに同報配信の成功又は失敗を記憶する、付記５の同報配信システム。
［付記７］
前記ゲートウェイ装置は、
前記無線ネットワーク制御装置を経由して、前記同報配信装置から前記同報配信メッセージを受信した場合に、タイマを起動し、
前記起動したタイマが満了するまでの期間内に、前記同報配信メッセージを送信したサービスエリアに属する前記フェムトセル用基地局から、同報配信が成功した旨のメッセージを受信しない場合、前記同報配信メッセージを送信したサービスエリアにおける同報配信の状態を、失敗に設定して前記第２の管理テーブルに登録すると共に、
前記無線ネットワーク制御装置に、前記同報配信メッセージを送信したサービスエリアの同報配信の状態が失敗であることを通知する、付記６の同報配信システム。
［付記８］
端末に無線接続を提供し、１つのセルを形成するフェムトセル用基地局がコアネットワークとの間で送受信するデータを中継し、
前記フェムトセル用基地局が形成するセルを少なくとも１以上含むサービスエリアを単位として、前記フェムトセル用基地局の動作状態及び前記端末への同報配信を制御する、ゲートウェイ装置。
［付記９］
端末に無線接続を提供し、１つのセルを形成するフェムトセル用基地局と、
前記フェムトセル用基地局がコアネットワークとの間で送受信するデータを中継するゲートウェイ装置と、
前記ゲートウェイ装置と接続された無線ネットワーク制御装置と、
前記フェムトセル用基地局と接続された端末に向けた同報配信メッセージを、前記無線ネットワーク制御装置に送信する同報配信装置と、
を含む同報配信システムにて、
前記フェムトセル用基地局が形成するセルを少なくとも１以上含むサービスエリアを単位として、前記フェムトセル用基地局の動作状態を管理するステップと、
前記フェムトセル用基地局が形成するセルを少なくとも１以上含むサービスエリアを単位として、前記端末への同報配信を制御するステップと、
を含む、同報配信方法。
［付記１０］
端末に無線接続を提供し、１つのセルを形成するフェムトセル用基地局がコアネットワークとの間で送受信するデータを中継するゲートウェイ装置に搭載されたコンピュータに実行させるプログラムであって、
前記フェムトセル用基地局が形成するセルを少なくとも１以上含むサービスエリアを単位として、前記フェムトセル用基地局の動作状態を管理する処理と、
前記フェムトセル用基地局が形成するセルを少なくとも１以上含むサービスエリアを単位として、前記端末への同報配信を制御する処理と、
を実行させるプログラム。
なお、付記８〜１０の形態は、付記１の形態と同様に、付記２の形態〜付記７の形態に展開することが可能である。
【０１３３】
なお、引用した上記の特許文献等の各開示は、本書に引用をもって繰り込むものとする。本開示（請求の範囲を含む）の枠内において、さらにその基本的技術思想に基づいて、実施形態ないし実施例の変更・調整が可能である。また、本開示の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【０１３４】
この出願は、２０１５年３月３０日に出願された日本出願特願２０１５−０６８５０５を基礎とする優先権を主張し、その開示の全てをここに取り込む。
【符号の説明】
【０１３５】
１０  ＣＢＥ（Cell Broadcast Entity）
１１  ＣＢＣ（Cell Broadcast Center）
１２  ＨＮＢ−ＧＷ（Home Node B−Gateway）
１３、１３−１〜１３−３  ＨＮＢ（Home Node B）
１４  ＵＥ（User Equipment）
５１、６１、７１  通信制御部
５２、７２  記憶部
５３、６３  同報配信部
６２  状態管理部
７３  同報配信制御部
７４  サービスエリア管理部
１００  フェムトセル用基地局
１０１  ゲートウェイ装置
１０２  無線ネットワーク制御装置
１０３  同報配信装置
２０１〜２０３  セル
２１１、２１２  サービスエリア
【図１】
0006447712.tif 000002
【図２】
0006447712.tif 000003
【図３】
0006447712.tif 000004
【図４】
0006447712.tif 000005
【図５】
0006447712.tif 000006
【図６】
0006447712.tif 000007
【図７】
0006447712.tif 000008
【図８】
0006447712.tif 000009
【図９】
0006447712.tif 000010
【図１０】
0006447712.tif 000011
【図１１】
0006447712.tif 000012
【図１２】
0006447712.tif 000013
【図１３】
0006447712.tif 000014
【図１４】
0006447712.tif 000015
【図１５】
0006447712.tif 000016
【図１６】
0006447712.tif 000017
【図１７】
0006447712.tif 000018
【図１８】
0006447712.tif 000019
【図１９】
0006447712.tif 000020
【図２０】
0006447712.tif 000021
【図２１】
0006447712.tif 000022
【図２２】
0006447712.tif 000023
【図２３】
0006447712.tif 000024